(57)【特許請求の範囲】
【請求項１】
所定の環境中に置かれることにより発光する発光インキと通常の印刷インキとの双方を用いて印刷処理された紙葉類の真贋を識別する紙葉類識別装置であって、
前記紙葉類を一定方向へ搬送する搬送路と、
前記搬送路上の紙葉類へ光を照射する発光素子と、
前記発光インキからの発光を受光する第１受光手段と、
前記第１受光手段が受光する光と同一の紙葉類上の位置からの光であって、前記発光インキの発光波長と異なる波長の光の通常のインキからの反射光を受光する第２受光手段と、
前記第１受光手段により検出された第１データ及び前記第２受光手段により検出された第２データをそれぞれサンプリングして番地順に記憶する記憶手段と、
前記記憶手段に記憶された第１データのサンプリング値のうちの所定の閾値以上のものと、そのサンプリング値に対応した番地に記憶されている第２データのサンプリング値とから、前記第１データにおける互いに隣接する番地のデータの差を求めるとともに前記第２データにおける互いに隣接する番地のデータの差を求め、続いて互いに対応する隣接番地における、これらの第１データ差と第２データ差との差の絶対値を算出することを繰り返し、得られた複数の算出値を合計する相関関係演算手段と、
この相関関係演算手段の演算結果に基づいて紙葉類の真贋を判別する真贋判別手段とを具備することを特徴とする紙葉類識別装置。
【請求項２】
上記所定の環境は、交番電圧が印加されることにより形成される交流電磁界環境であり、上記発光インキは、交流電磁界環境で発光するエレクトロルミネセンスを用いたものであることを特徴とする請求項１記載の紙葉類識別装置。
【発明の詳細な説明】
【０００１】
【発明の属する技術分野】
本発明は、各種の紙葉類、例えば紙幣や株券等の有価証券類さらには各種の伝票類等の真贋をより確実に識別することができる紙葉類識別装置に関するものである。
【０００２】
【従来の技術】
従来、紙幣や有価証券等の紙葉類の真贋を識別する紙葉類識別装置が知られている。かかる識別装置は、紙葉類の各所に印刷されている文字、図形、記号、模様（以下模様等という）を光学的に読み取って電気信号に変換し、予め記憶されている本物の模様等と比較することによって真贋を識別するものが一般的であった。
【０００３】
しかし、近年、贋作技術が巧妙化して通常の印刷模様のみを対象としては真贋の判別が困難になっていることから、ヨーロッパ特許の特許公報ＥＰ０９９６０９９Ａ２に記載されているように、紫外線や交番電圧に反応して蛍光を発する材料（エレクトロルミネセンス（ｅｌｅｃｔｒｏｌｕｍｉｎｅｓｃｅｎｃｅ（以下ＥＬ材料という））を用いた発光インキで紙幣が印刷されることがある。かかる発光インキを使用すると、紙葉類は、それに紫外線を照射したり、それを交流電磁界内に置くことにより発光するため、たとえ通常の印刷による模様等が真贋の紙葉類で一致していてもこの発光の有無を検出することによって真贋を識別することができる。
【０００４】
【発明が解決しようとする課題】
しかしながら、上記のような発光インキが偽物の紙葉類に使用されておれば、真贋の識別が困難になるという問題点を有している。すなわち上記ＥＬ材料は極めて細かい微粉状を呈していることから、これを紙葉類の表面に散布して貼着させるという簡単な操作を行うだけでＥＬ材料の付与された紙葉類とすることができる。
【０００５】
従って、かかる操作でＥＬ材料の付与された紙葉類は、たとえ交流電磁界中でＥＬ材料を発光させても真贋を識別することができない。このことについては、ＥＬ材料以外の他の発光インキにおいても同様である。
【０００６】
本発明は、上記のような問題点を解消するためになされたものであり、通常の印刷インキと発光インキとを併用して印刷処理が施された紙葉類の真贋を確実に識別することができる紙葉類識別装置を提供することを目的としている。
【０００７】
【課題を解決するための手段】
請求項１記載の発明は、所定の環境中に置かれることにより発光する発光インキと通常の印刷インキとの双方を用いて印刷処理された紙葉類の真贋を識別する紙葉類識別装置であって、前記紙葉類を一定方向へ搬送する搬送路と、前記搬送路上の紙葉類へ光を照射する発光素子と、前記発光インキからの発光を受光する第１受光手段と、前記第１受光手段が受光する光と同一の紙葉類上の位置からの光であって、前記発光インキの発光波長と異なる波長の光の通常のインキからの反射光を受光する第２受光手段と、前記第１受光手段により検出された第１データ及び前記第２受光手段により検出された第２データをそれぞれサンプリングして番地順に記憶する記憶手段と、前記記憶手段に記憶された第１データのサンプリング値のうちの所定の閾値以上のものと、そのサンプリング値に対応した番地に記憶されている第２データのサンプリング値とから、前記第１データにおける互いに隣接する番地のデータの差を求めるとともに前記第２データにおける互いに隣接する番地のデータの差を求め、続いて互いに対応する隣接番地における、これらの第１データ差と第２データ差との差の絶対値を算出することを繰り返し、得られた複数の算出値を合計する相関関係演算手段と、この相関関係演算手段の演算結果に基づいて紙葉類の真贋を判別する真贋判別手段とを具備することを特徴とするものである。
【０００８】
この発明によれば、紙葉類を所定の環境に設定された紙葉類識別装置に供給することにより、紙葉類の同一位置に印刷処理で付与された発光インキが発光するとともに、通常インキからは照射された光が反射し、発光インキからの発光は第１受光手段によって受光される一方、通常インキからの反射光は第２受光手段によって受光され、これら受光による各受光手段からの出力値は相関関係演算手段に入力されて所定の相関関係が演算される。そして、紙葉類は、この相関関係演算手段による演算結果に基づく真贋判別手段の判別によって真贋が判別される。
【０００９】
このように、紙葉類は、同一位置に印刷された発光インキと通常インキとの双方を読み取って真贋が判別されるため、重ね塗りされた、あるいは互いに混合された発光インキと通常インキとは同一のパターンを有しており、これらパターン間の高度な相関関係によって本物が判別される。従って、単に発光インキの有無のみを検出して真贋を識別する従来の方式に比較し、より高精度で紙葉類の真贋を識別することが可能になる。また、上記相関関係演算手段は、上記第１受光手段からの出力値が予め設定された閾値以上のときにのみ上記演算を行うので、発光インキが付与されていない位置の受光を対象にした無駄な真贋識別処理が排除され、効率的かつ確実な真贋識別が実現する。
【００１０】
なお、発光インキが発光する所定の環境としては、請求項２の交流電磁界環境や赤外線や紫外線が照射される光照射環境等を挙げることができる。
【００１１】
請求項２記載の発明は、請求項１記載の発明において、上記所定の環境は、交番電圧が印加されることにより形成される交流電磁界環境であり、上記発光インキは、交流電磁界環境で発光するエレクトロルミネセンスを用いたものであることを特徴とするものである。
【００１２】
この発明によれば、エレクトロルミネセンスは、交流電磁界環境で発光するため、通常の環境では発光せず、従って、真贋識別時には有効にその機能を果した上で普段は支障なく紙葉類を使用することができる。
【００１７】
【発明の実施の形態】
図１および図２は、本発明に係る紙葉類識別装置の一実施形態を示す斜視図であり、図１は、ケーシング蓋体が閉じられた状態、図２は、ケーシング蓋体が開かれた状態をそれぞれ示している。また、図３は、ケーシングに内装された装置本体の一実施形態を示す分解斜視図であり、図４はその組立て斜視図である。さらに、図５は、図４のＡ−Ａ線断面図であり、図６は、図４のＢ−Ｂ線断面図である。なお、図１〜図４において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００１８】
本実施形態の紙葉類識別装置１は、交流電磁界の環境中に置かれることにより発光するＥＬ（ｅｌｅｃｔｒｏｌｕｍｉｎｅｓｃｅｎｃｅ）インキと通常の印刷インキとの双方を用いて文字、図形あるいは記号が印刷処理された紙幣（紙葉類）Ｍの真贋を識別するものである。この識別を行うために、紙葉類識別装置１には、後に詳述する第１検出構造７１と、第２検出構造７２とが内装されている。第１検出構造７１は、交流電磁界環境でのＥＬ発光を検出するものであり、第２検出構造７２は、通常インキの反射光を検出するものである。
【００１９】
上記各図に示すように、紙葉類識別装置１は、装置本体２および制御装置８が箱型のケーシング９に内装されて形成されている。ケーシング９は、直方体状のケーシング本体９１と、このケーシング本体９１の上部に設けられた蓋体９２とからなっている。
【００２０】
ケーシング本体９１の上面の幅方向両側部には、前後方向に延びる一対のブラケット９３が設けられ、上記蓋体９２は、その後端部がこれら一対のブラケット９３間に挟持された状態で水平軸９４回りに回動自在に軸支されることにより、図１に示すケーシング本体９１上に折り重なった閉止姿勢と、図２に示すケーシング本体９１の後端部に起立した開放姿勢との間で姿勢変更し得るようになっている。
【００２１】
そして、蓋体９２が閉止姿勢に設定された状態で、図１に示すように、ケーシング本体９１の上面と蓋体９２の下面との間に紙幣搬送路９５が形成され、ケーシング９の前面からこの紙幣搬送路９５に紙幣Ｍを差し入れられることにより図略のセンサがこれを検出し、この検出信号に基づいた制御装置８からの駆動信号による駆動機構の駆動によって紙幣Ｍは紙幣搬送路９５内に引き入れられ、装置本体２に内装された後に詳述する識別機構（第１検出構造７１および第２検出構造７２）によって真贋が識別されるようになっている。
【００２２】
上記紙幣搬送路９５におけるケーシング本体９１の上面には、前後方向に延びる複数本の案内突条９５ａが突設されているとともに、隣接する案内突条９５ａ間には長尺溝９５ｂが形成され、これら案内突条９５ａと長尺溝９５ｂとで、紙幣Ｍの搬送通路としてのケーシング本体９１の天板９５０が形成されている。
【００２３】
上記複数条の長尺溝９５ｂには、それぞれの前後位置に切欠き窓が設けられてここから、図２に示すように、搬送ローラ９５ｃの頂部が突出されている一方、蓋体９２の裏面側には上記搬送ローラ９５ｃに対向した前後一対の補助ローラ９５ｄが設けられ、紙幣搬送路９５に差し込まれた紙幣Ｍは、搬送ローラ９５ｃと補助ローラ９５ｄとに挟持された状態で、搬送ローラ９５ｃの駆動回転により紙幣搬送路９５を通過し、紙幣搬送路９５の後端部から外部に導出されるようになっている。
【００２４】
また、ケーシング本体９１の右側部前方には、電源スイッチ９６が設けられているとともに、上記蓋体９２の頂部の前方位置には表示灯９８が設けられている。この表示灯９８は、紙葉類識別装置１が使用可能状態であるか否かを表示するレディランプ９８ａと、紙幣Ｍの真贋の識別結果が合格であることを表示する合格ランプ９８ｂと、同不合格であることを表示する不合格ランプ９８ｃとを備えている。上記レディランプ９８ａは、電源スイッチ９６をオンにすることによって点灯し、これによって装置本体２が識別可能状態であることが表示されるとともに、装置本体２が識別処理中のときはこのレディランプ９８ａが消灯され、これによってレディランプ９８ａが点灯するまでつぎの紙幣挿入を差し控えるべきことが判るようになっている。
【００２５】
上記装置本体２は、図３〜図６に示すように、後述する受光素子や発光素子、さらには光学部材や配線基板等が一体的にモジュール化されたセンサー装置２０を含んで構成され、ケーシング本体９１に内装されたローラ部材３と、このローラ部材３の周面に対向するように蓋体９２に内装された、各種のセンサや基板等が装着されてなるセンサ筐体４とを備えている。
【００２６】
上記ローラ部材３は、交流電源３０（図５）からの交番電圧が印加される電極の一方側のものであり、ケーシング本体９１内の所定の軸受に自軸心回りに回転自在に軸支される幅方向に延びた金属製の中心軸３１と、この中心軸３１に同心で一体に固定された金属円盤３２と、この金属円盤３２に同心で圧入外嵌されたチタン酸バリウム（ＢａＴｉＯ3）のような高誘電率材料製の絶縁リング３３と、この絶縁リング３３にさらに圧入状態で外嵌された、外周面が紙幣Ｍと直接接触する金属リング３４とからなっている。
【００２７】
また、交番電圧が印加される電極の他方側のものとしてリード板３５が採用されている。このリード板３５は、平板状のリード板本体３５ａと、このリード板本体３５ａの前端部が下方に折り曲げられて形成した折曲げ片３５ｂとからなっている。そして、上記折曲げ片３５ｂと後述するＩＴＯ膜６６（ガラス基板６の底面に蒸着された導電性の膜）とが図略の導電ペーストによって電気的に接続され、これらローラ部材３とＩＴＯ膜６６とに交流電源３０からの交番電圧が印加されて紙幣搬送路９５内に交流電磁界が形成されるようにしている。
【００２８】
一方、上記ケーシング本体９１には、その天板９５０の中央位置に方形のローラ嵌挿窓９１ａ（図２）が穿設され、このローラ嵌挿窓９１ａからローラ部材３の金属リング３４が外部に突出している。ローラ部材３は、図略の付勢手段の付勢力で上方に向かって付勢され、これによってその頂部が案内突条９５ａより上位に位置するようになされている。
【００２９】
また、金属リング３４には、その外周面を軸心の延びる方向に向けて横断した所定ピッチの縞模様が全周に亘って設けられている一方、ローラ部材３の近傍にはフォトレシーバー３６が設けられている。このフォトレシーバー３６は、金属リング３４の外周面に投光してその反射光を受光するように構成されており、上記縞模様による反射光の変化でローラ部材３の回転速度を検出するためのものである。
【００３０】
上記センサ筐体４は、平面視で正方形状を呈した所定厚み寸法の筐体本体４１と、この筐体本体４１の下部に一体に連設された逆四角錐台状の漏斗状部４２とを備えて形成されている。一方、蓋体９２の底板９２ａには、上記漏斗状部４２に対応した矩形窓９２ｂ（図２、図５）が穿設されている。この矩形窓９２ｂの内周面には、図５に示すように、上記漏斗状部４２の外壁面の傾斜に対応した傾斜縁部９２ｃが形成され、上から矩形窓９２ｂに嵌め込まれたセンサ筐体４は、漏斗状部４２の外壁面がこの傾斜縁部９２ｃに当止することによって下面を外部に露出した状態で蓋体９２内に装着されるようになされている。
【００３１】
かかるセンサ筐体４の筐体本体４１には、上面に後述する基板５を装着するための基板装着凹部４３が凹設されているとともに、漏斗状部４２の底面には、後述するガラス基板６を装着するためのガラス基板装着凹部４４が凹設されている。そして、これら各凹部４３，４４間の光路に該当する部分は連通されて平面視で矩形状の光路孔４５が形成され、ガラス基板６を通過した光はこの光路孔４５を通って基板５の底部に向かうようになっている。
【００３２】
また、上記基板装着凹部４３の底部であって、光路孔４５の右方位置には、後述するＬＥＤ５４を装着するためのＬＥＤ装着孔４６が穿設されている。このＬＥＤ装着孔４６は、下部が上記ガラス基板装着凹部４４に連通されている。従って、ＬＥＤ５４からの光は、このＬＥＤ装着孔４６を通ってガラス基板６に入光し、適所で反射して基板５の裏面側に向けて照射されることになる。
【００３３】
また、漏斗状部４２には、ガラス基板装着凹部４４の後方側に隣接して上記リード板３５を装着するためのリード板装着凹部４７が設けられ、リード板３５の折曲げ片３５ｂ側がこのリード板装着凹部４７に嵌め込まれてねじ止めその他で固定されるようになっている。そして、リード板３５がセンサ筐体４に取り付けられた状態で、折曲げ片３５ｂは、その下端部がケーシング本体９１の天板９５０（図２）に対向するように寸法設定されている。
【００３４】
上記基板５は、裏面側に取り付けられた受光素子５１の出力に所定の電気的な処理を施すためや、ＬＥＤ５４に電力を供給するための配線等を行うためのものであり、センサ筐体４の光路孔４５に対応した部分に受光素子５１が幅方向に一対で並設されているとともに、上記ＬＥＤ装着孔４６に対応した部分には、発光素子であるＬＥＤ（Ｌｉｇｈｔ  Ｅｍｉｔｔｉｎｇ  Ｄｉｏｄｅ）５４が付設されている。
【００３５】
上記受光素子５１は、上記基板５裏面の左方位置に付設された第１受光素子（第１受光手段）５２と、この第１受光素子５２に隣り合ってその右側に付設された第２受光素子（第２受光手段）５３とからなっている。第１受光素子５２は、交流電磁界中で発光する特性を備えたＥＬ（ｅｌｅｃｔｒｏｌｕｍｉｎｅｓｃｅｎｃｅ）材料からの、いわゆるＥＬ光を検出するものである。かかるＥＬ光を検出するために、第１受光素子５２の表面には、ＥＬ光のみを透過させてその他の波長域の光をカットするバンドパスフィルター５２ａが積層され、このバンドパスフィルター５２ａの存在で第１受光素子５２にはＥＬ光のみが入光し得るようになっている。
【００３６】
これに対し、上記第２受光素子５３は、発光したＬＥＤ５４からの可視光線の紙幣Ｍ表面における反射光を検出するためのものである。ＬＥＤ５４から照射されるＬＥＤ光の波長はＥＬ光の波長とは異ならせている。
【００３７】
上記ガラス基板６は、図３に示すように、正面視（＋Ｙの方向に向かってガラス基板６を見た状態）で五角形状の第１ガラス基板６１と、この第１ガラス基板６１の左側に積層された平行四辺形状の第２ガラス基板６２と、この第２ガラス基板６２の左側に積層された台形状の第３ガラス基板６３とからなっている。
【００３８】
第１ガラス基板６１の右面は、図３および図６に示すように、水平面に対して４５°の右下がりの傾斜を備えた傾斜面６１ａになっているとともに、同左面はこの傾斜面６１ａに平行に形成されており、ＬＥＤ５４からの照射光は、この傾斜面６１ａに対して垂直に入光するようになっている。
【００３９】
第２ガラス基板６２は、左右の面がいずれも上記傾斜面６１ａに平行に形成されている。また、第３ガラス基板６３は、右面が上記傾斜面６１ａと平行に形成されているとともに、左面は垂直面になっている。そして、第１〜第３ガラス基板６１，６２，６３が幅方向に積層されることによって全体的に台形形状をしたガラス基板６が形成されている。かかるガラス基板６は、上記筐体本体４１のガラス基板装着凹部４４に圧入状態で嵌挿されるように立体形状が設定され、一旦嵌め込まれると摩擦力で抜け止め状態になるようになされている。
【００４０】
上記第１ガラス基板６１の左面または第２ガラス基板６２の右面には、酸化チタン等の誘電体物質の蒸着によって形成された第１誘電体多層膜６４が積層されているとともに、上記第２ガラス基板６２の左面または第３ガラス基板６３の右面には同第２誘電体多層膜６５が積層されている。そして、第１誘電体多層膜６４は、ＬＥＤ５４から照射された波長の光を透過させるとともに、それ以外の波長の光を反射させるように成分設定および厚み設定されている。これに対し上記第２誘電体多層膜６５は、少なくともＥＬ光を反射させるように設定されている。
【００４１】
そして、ＬＥＤ５４の照射光は、第２ガラス基板６２の底面に向かった後、上記底面に摺接している紙幣Ｍ表面の照射スポットＰ（図６）で乱反射し、この乱反射の上方に向かう垂直成分が第２受光素子５３によって受光されるとともに、照射スポットＰにおける紙幣Ｍで生じたＥＬ光は、その垂直成分が第１誘電体多層膜６４で直角に反射して水平成分になり、この水平方向に左方に向かうＥＬ光はさらに第２誘電体多層膜６５において直角に反射して上方に向かい、第１受光素子５２によって受光されるように、上記第１および第２受光素子５２，５３は配置設定されている。
【００４２】
かかるガラス基板６は、紙幣Ｍと接する裏面および右の垂直面にインデウムと錫の合金の酸化物であるＩＴＯ（Ｉｎｄｉｕｍ−Ｔｉｎ−Ｏｘｉｄｅ）を蒸着することによって形成されたＩＴＯ膜６６が積層されている。このＩＴＯ膜６６は、導電性を有する透明膜であり、導電性のペーストで折曲げ片３５ｂと電気的に接続されている。そして、ガラス基板６の特に裏面側には、ＩＴＯ膜６６にさらにアルミナ皮膜やダイヤモンド皮膜で形成された強靭な透明絶縁膜６７が積層され、この透明絶縁膜６７の存在でガラス基板６の底部が紙幣Ｍと擦過してもＩＴＯ膜６６が損傷しないようになされている。また、透明絶縁膜６７は、紙幣が紙幣搬送路９５に存在しないときにＩＴＯ膜６６と金属リング３４とが直接接触することを阻止し、これによって電気的な短絡現象の生じるのを防止する役割を担っている。
【００４３】
そして、本実施形態においては、上記交流電源３０と、ローラ部材３およびリード板３５と、ガラス基板６と、第１受光素子５２とでＥＬ材料を含んだいわゆるＥＬインキによる印字を検出する第１検出構造７１（図５）が構成されているとともに、上記ＬＥＤ５４と、ガラス基板６と、第２受光素子５３とで上記ＥＬインキに重ねて通常のインキで印刷された印字を検出する第２検出構造７２（図６）が構成されている。本発明の真贋識別機構は、かかる第１および第２検出機構７１，７２によって検出された各検出信号を経時的に比較し、両者の相関関係を調べることにより紙幣Ｍの真贋を識別するように構成されている。
【００４４】
かかる真贋識別機構を説明する前に、識別対象である紙幣Ｍの印字について説明する。図７は、紙幣Ｍの印刷状態の一例を示す斜視図である。また、図８は、そのＣ−Ｃ線拡大断面図であり、（イ）は、ＥＬインキの上に通常の非発光性のインキが積層印字された状態、（ロ）は、通常の非発光性のインキにＥＬインキを混合して得られた混合インキで印字された状態をそれぞれ示している。
【００４５】
紙幣Ｍの表面には、各種の文字や図形や記号が多数印字されている。図７における例では、説明を容易にするために簡略化して紙幣Ｍの表面に「Ｓ」の英文字と、これを取り囲むように４つの点が印刷されたものを示している。かかる紙幣Ｍが紙葉類識別装置１の紙幣搬送路９５（図１）に差し入れられることにより、搬送ローラ９５ｃ（図２）の駆動回転で紙幣搬送路９５の奥部に引き入れられ、これによる受光素子５１の紙幣Ｍに対する相対移動で、紙幣Ｍの図７に一点鎖線で示す部分が順次走査される。
【００４６】
具体的には、紙幣Ｍの照射スポットＰ（図６）に照射されたＬＥＤ５４からの光の反射光が第２受光素子５３によって経時的に受光されるとともに、紙幣搬送路９５内が交流電磁界環境になることによる照射スポットＰでのＥＬインキの発光が第１受光素子５２によって経時的に受光されるのである。そして、これら第１および第２受光素子５２，５３による受光結果が制御装置８で比較されて紙幣Ｍの真贋が識別されるのである。
【００４７】
かかる紙幣Ｍは、図８に示すように、用紙Ｍ１と、印字面を平滑にするために所定のコーティング材でコーティング処理されることにより用紙Ｍ１表面に積層されたコーティング層Ｍ２と、このコーティング層Ｍ２の表面に印刷処理が施されることにより形成した印刷隆起部Ｍ３とからなっている。
【００４８】
そして、印刷隆起部Ｍ３は、図８の（イ）に示す例の場合は、ＥＬインキで印刷されたＥＬインキ部Ｍ３１と、その上に通常の印刷インキが積層されて形成した通常インキ部Ｍ３２とからなっている。通常インキ部Ｍ３２のインキは、ＥＬ光を透過し、かつ、ＥＬ光の波長と異なる波長のものが採用されている。
【００４９】
これに対し、図８の（ロ）に示す例の印刷隆起部Ｍ３は、上記通常インキ部Ｍ３２と同様の印刷インキからなるインキ生地Ｍ３２′の中にＥＬ材料の微粒子（ＥＬ微粒子Ｍ３１′）が混入されてなるインキによって形成されている。そして、いずれの印刷隆起部Ｍ３も、受光素子５１による走査により紙幣Ｍの真贋を識別する上で差はない。
【００５０】
このような印刷隆起部Ｍ３の形成された紙幣Ｍを、紙葉類識別装置１の紙幣搬送路９５に差し込むと、図略のセンサーがこれを検出し、これによる交流電源３０からの電力供給により紙幣搬送路９５内のローラ部材３とリード板３５間が交流電磁界の環境に設定されるとともに、ＬＥＤ５４が発光する。この状態で紙幣Ｍは搬送ローラ９５ｃの駆動回転でローラ部材３の金属リング３４とガラス基板６との間に入り込み（図６）、これらと摺接しながら紙幣搬送路９５を通り抜け、受光素子５１によって走査されることになる。
【００５１】
そして、この走査において紙幣Ｍの印刷隆起部Ｍ３（図７、図８）が紙幣搬送路９５内の照射スポットＰ（図６）に到達すると、この位置が交流電磁界環境になっていることから、ＥＬインキ部Ｍ３１（図８の（イ））またはＥＬ微粒子Ｍ３１′（図８の（ロ））が発光し、そのＥＬ光がガラス基板６の第１誘電体多層膜６４および第２誘電体多層膜６５で反射してジグザグに進み、第１受光素子５２に受光されるとともに（図６）、ＬＥＤ５４の発光が第１誘電体多層膜６４を透過して上記と同一位置の印刷隆起部Ｍ３の通常インキ部Ｍ３２またはインキ生地Ｍ３２′に照射され、その垂直反射成分が第２受光素子５３に受光される。
【００５２】
図９は、受光素子５１による走査で第１受光素子５２および第２受光素子５３が検出した受光量に比例する出力値の経時変化を示すグラフである。このグラフでは、図７の「Ｓ」の中央部が走査された状態を想定しており、グラフ中の下部の曲線は第１受光素子５２によるものであり、上部の曲線は第２受光素子５３によるものである。
【００５３】
このグラフで判るように、受光素子５１による走査が印刷隆起部Ｍ３にまで及んでいない時刻「ｔ0」から時刻「ｔ1」までの間は、紙幣Ｍの表面は生地の色だけであるため、ＬＥＤ５４の発光の反射光が第２受光素子５３によって受光されるだけであり、従って、第２受光素子５３からは、反射光量に見合った出力が発生しているのに対し、第１受光素子５２からの出力値は「０」になっている。
【００５４】
これに対し、走査が印刷隆起部Ｍ３に及んだ時刻「ｔ1」から時刻「ｔ2」までの間については、ＥＬインキ部Ｍ３１が発光する。このＥＬ発光が第１受光素子５２に受光されるとともに、ＬＥＤ５４の照射光の印刷隆起部Ｍ３からの反射光も第２受光素子５３によって受光されるため、第１および第２受光素子５２，５３の双方から検出信号が出力される。すなわち、上記期間（ｔ1〜ｔ2）内においては、ＥＬインキの上に通常インキが重ねられた印刷隆起部Ｍ３が走査されるため、各受光素子５２，５３の経時的な出力値のパターンが略同一になるはずである。本発明においては、これらのパターンの同一性（この同一性の度合いのことを相関関係と称している）を所定の演算処理で算出することにより、紙幣Ｍの真贋を識別するようにしている。
【００５５】
なお、ＥＬインキ部Ｍ３１あるいはＥＬ微粒子Ｍ３１′を構成しているＥＬインキは、本来的に交流電磁界環境で発光するものであるが、ＬＥＤ５４からの光が照射されることによっても通常インキ部Ｍ３２あるいはインキ生地Ｍ３２′を構成している通常のインキとは異なる波長の反射光を発する性質を有している。従って、紙幣Ｍを交流電磁界環境に置かなくても、ＬＥＤ５４からの光を紙幣Ｍの表面に照射することによって、印刷隆起部Ｍ３から２種類の反射光を得ることが可能であり、上記図９のグラフで説明したような真贋の識別を行うことができる。
【００５６】
そして、本発明のＥＬインキ（発光インキ）が発光する所定の環境の中には、先に説明した交流電磁界環境の他に、紫外線や赤外線さらにはＬＥＤ５４の光が照射される環境も含まれる。
【００５７】
図１０は、制御装置８による紙幣Ｍの真贋識別制御の一実施形態を示すブロック図である。この図に示すように、紙幣Ｍの真贋識別制御は、内部にＣＰＵ（Ｃｅｎｔｒａｌ  Ｐｒｏｃｅｓｓｉｎｇ  Ｕｎｉｔ）８０を備えた制御装置８により行われる。ＣＰＵ８０には、ＲＡＭ（Ｒａｎｄｏｍ  Ａｃｃｅｓｓ  Ｍｅｍｏｒｙ）８１およびＲＯＭ（Ｒｅａｄ  Ｏｎｌｙ  Ｍｅｍｏｒｙ）８２が接続されている。
【００５８】
上記ＲＡＭ８１は、データの読み書きを自在に行うことができる外部記憶装置であり、第１および第２受光素子５２，５３からの経時的な出力値や所定の演算処理結果等が入力されるとともに、必要に応じて中間処理や演算結果の各種の値が出力される。また、上記ＲＯＭ８２は、読み取り専用の外部記憶装置であり、真贋識別処理を行うプログラム（相関関係演算手段）が予め記憶されている。電源スイッチ９６の操作で紙葉類識別装置１に電力が供給されると、ＲＯＭ８２のプログラムがＣＰＵ８０に読み込まれる。そして、ＣＰＵ８０は、紙幣Ｍが紙幣搬送路９５に差し込まれる都度、上記プログラムに従って各種の機器に向けて駆動信号を出力したり、第１および第２受光素子５２，５３からの検出信号に基づいた真贋識別演算を行うようになっている。
【００５９】
かかる制御装置８とＬＥＤ５４との間にはＬＥＤ制御回路５４ａが介設されている。このＬＥＤ制御回路５４ａは、制御装置８からの制御信号に基づいてＬＥＤ５４の点灯・消灯を制御するものである。具体的には、紙幣Ｍが紙幣搬送路９５に差し入れられたことを図略のセンサーが検出するとＬＥＤ５４が点灯し、紙幣Ｍが紙幣搬送路９５を通過してしまうことによりＬＥＤ５４が消灯されるように制御が実行される。
【００６０】
また、第１受光素子５２と制御装置８との間には、第１増幅器５２１および第１Ａ／Ｄ変換器５２２が直列で介設されているとともに、第２受光素子５３と制御装置８との間には、第２増幅器５３１および第２Ａ／Ｄ変換器５３２が直列で介設されている。各増幅器５２１，５３１は、第１および第２受光素子５２，５３からの微弱な検出信号を増幅するものであり、各Ａ／Ｄ変換器５２２，５３２は、各増幅器５２１，５３１からのアナログ信号をディジタル信号に変換するものである。
【００６１】
また、制御装置８には、タイミングパルス発生回路８３が付設されている。このタイミングパルス発生回路８３は、制御装置８からの制御信号に基づいて各Ａ／Ｄ変換器５２２，５３２に対し、アナログ信号をディジタル信号に変換するに際し、時間的な区切りを示すいわゆるタイミング信号を与えるものであり、このタイミング信号による時間的な区切り内のアナログ量の最初の値あるいは平均値的な値がディジタル値とされる。
【００６２】
このように処理された第１および第２受光素子５２，５３の出力値が制御装置８に入力される。そして、制御装置８のＣＰＵ８０は、入力された上記出力値を対象として所定の演算処理を施し、紙幣Ｍの真贋が判別される。ＣＰＵ８０には、第１および第２受光素子５２，５３からの出力値を比較して両者間の相関関係を演算する相関関係演算手段８０ａと、この相関関係演算手段８０ａにより演算結果に基づいて紙幣Ｍの真贋を判別するおよび真贋判別手段８０ｂとが設けられている。これら相関関係演算手段８０ａおよび真贋判別手段８０ｂの詳細については後に図１２を基に説明する。
【００６３】
紙幣Ｍの真贋判別結果は、上記表示灯９８に向けて出力され、合格ランプ９８ｂおよび不合格ランプ９８ｃのいずれが点灯しているかを視認することによって、紙幣搬送路９５に通した紙幣Ｍの真贋を知ることができる。また、レディランプ９８ａの点灯によって紙葉類識別装置１が紙幣Ｍの受入れ可能を視認することができる。
【００６４】
また、制御装置８には、紙葉類識別装置１に装置された各種の機器（搬送ローラ９５ｃや図略のフラッパー等）に駆動信号を出力する駆動制御回路８４が設けられている。紙幣Ｍが紙幣搬送路９５に差し込まれると、そのことが図略のセンサーで検出され、駆動制御回路８４からの制御信号が上記交流電源３０に向けて出力されて紙幣搬送路９５内が交流電磁界環境になるようになされている。
【００６５】
以下、図１１および図１２を基に、制御装置８内における紙幣Ｍの真贋識別処理について説明する。図１１は、受光素子５１によって読み取ったデータを蓄積するデータサンプリングルーチンのフローを示すフローチャートであり、図１２は、読み取ったデータから真贋を判定するための相関演算ルーチンのフローを示すフローチャートである。なお、図１１に示すフローチャートにおいては、本発明の発光性インキが発光する環境として交流電磁界環境に代えて、ＬＥＤ５４からのＬＥＤ光が照射される環境を採用している。
【００６６】
まず、図１１を基に、受光素子５１からの光電変換出力信号（第１受光素子５２および第２受光素子５３によって検出されたアナログ信号）を制御装置８内の所定の記憶装置またはＲＡＭ８１に取り込む手順について説明する。ステップＳ１でデータサンプリングルーチンがスタートすると、制御装置８のＣＰＵ８０は、ＲＯＭ８２に格納されているプログラムを呼び出して実行を開始し、プログラムに従って各部機構（レジスタ、カウンタ、フラッパ等）の初期化を行い（Ｓ２）、同時に駆動制御回路８４による紙幣搬送機構の制御が開始される。この紙幣搬送機構の制御の一環としてＬＥＤ制御回路５４ａからＬＥＤ点灯信号が出力されてＬＥＤ５４が点灯する（Ｓ３）。
【００６７】
ついで、搬送ローラ９５ｃの駆動回転で紙幣搬送路９５に差し込まれた紙幣Ｍが紙幣搬送路９５内を前進し、紙幣Ｍはガラス基板６の底面とローラ部材３の周面との間に進入してローラ部材３を中心軸３１回りに回転させる。このローラ部材３の回転速度は、縞模様を有する金属リング３４の外周面に光を照射してその反射光を受光するフォトレシーバー３６によって縞模様に対応したパルス信号として検出され、この検出結果に基づくＣＰＵ８０からの制御信号によって上記パルス信号に同期して第１および第２受光素子５２，５３のアナログ出力値が各Ａ／Ｄ変換器５２２，５３２によってディジタル信号に変換される（Ｓ４〜Ｓ５）。
【００６８】
そして、第１および第２受光素子５２，５３によって読み取られた反射光の出力値は、それらがＡ／Ｄ変換される都度、ＣＰＵ８０を介して所定の記憶装置（例えばＲＡＭ８１）に順番に記憶されていく（Ｓ６）。
【００６９】
この記憶は以下のようにして行われる。すなわち、記憶装置の中に予め第１受光素子５２からのディジタル信号である第１データＰＤ１を順次記憶する第１格納エリアＤ１（ｉ）（ｉ（格納番地）＝１〜ｎ）を予め設定しておくとともに、第２受光素子５３からのディジタル信号に関しても、同様に第２データＰＤ２を順次記憶する第２格納エリアＤ２（ｊ）（ｊ（格納番地）＝１〜ｎ）を予め設定しておく。
【００７０】
そして、第１および第２受光素子５２，５３から第１〜第２データＰＤ１，ＰＤ２が生じる度に第１格納エリアＤ１（ｉ）および第２格納エリアＤ２（ｊ）に順番に（ｉ＝ｉ＋１、ｊ＝ｊ＋１）その値を記憶させていき（Ｓ７）、紙幣Ｍの後端部が照射スポットＰ（図５）を通過したことがフォトレシーバー３６からの信号が途絶えることで検出されると（Ｓ８）、紙幣Ｍの読み取り操作が完了する。
【００７１】
第１および第２受光素子５２，５３による紙幣の読み取りが完了すると、つぎに紙幣の真贋を判別するための相関関係演算のルーチンが実行される。以下これについて図１２を基に説明する。このルーチンが実行される段階では、上記第１格納エリアＤ１（ｉ）および第２格納エリアＤ２（ｊ）内に第１および第２受光素子５２，５３からのｎ個のディジタル信号がそれぞれ格納されている。
【００７２】
相関関係演算がスタートすると（Ｓ１０）、まず、ＥＬインキを検知する第１受光素子５２が検出した、第１格納エリアＤ１（ｉ）に記憶されているデータの値が予め設定された所定の閾値αより大きくなる番地（ｉ＝ａ〜ａ＋ｋ）が抽出される（Ｓ１１）。
【００７３】
ついで、上記番地（ｉ＝ａ〜ａ＋ｋ）に対応した第２受光素子５３側の第２格納エリアＤ２（ｊ）の番地（ｊ＝ｂ〜ｂ＋ｋ）を求め（Ｓ１２）、新たにａをｉに置き換えるとともに、ｂをｊに置き換えた上で（Ｓ１３）、第１格納エリアＤ１（ｉ）および第２格納エリアＤ２（ｊ）のそれぞれについて隣接している番地内のデータの差（ＡＤ１（ｉ）およびＡＤ２（ｊ））を演算する（Ｓ１４）。かかる差を求めることで、紙幣Ｍの搬送中に緩やかに変化するＥＬ光やＬＥＤ光の変動および受光素子５１や回路の感度の差などを除去して紙幣Ｍに印刷されているパターンのみを有効に検出することが可能になる。
【００７４】
つぎに、ＡＤ１（ｉ）とＡＤ２（ｊ）との差の絶対値を順次求め、Ｈ（ｌ）に格納する（Ｓ１５）。かかる処理をｉがａ＋ｋを越えるまで、およびｊがｂ＋ｋを越えるまで繰り返し（Ｓ１４〜Ｓ１７）、これが終わるとＨ（ｌ）の値が合計される（Ｓ１８）。そして、上記相関関係演算手段８０ａ（図１０）は、ステップＳ１１〜ステップＳ１８の処理を行うように構成されている。
【００７５】
そして、上記合計値が、予め設定された真贋基準値εと比較され、ε以下のときは本物と判定される（Ｓ２０）一方、εを越えると偽物と判定され（Ｓ２１）て終了する（Ｓ２２）。そして、上記真贋判別手段８０ｂは、ステップＳ１９〜ステップＳ２１の処理を行うように構成されている。
【００７６】
本発明の紙葉類識別装置１によれば、ＥＬインキと、非発光性の通常インキとの双方を用いて印刷されている紙幣Ｍにおいて、両インキによるパターンの一致で真贋を識別するようにしているため、単にＥＬインキの有無を検出して紙幣Ｍの真贋を判別する従来のものに比較してより高精度で紙幣Ｍの真贋を判定することができる。
【００７８】
また、位置センサー等用いて紙幣Ｍの位置を検出し、ＥＬインキが印刷されているエリアが各受光素子５２，５３によって受光され得る位置に到達したときに、各受光素子５２，５３の受光結果の差または比を求め、この差または比の値の経時変化によるパターンに基づいて真贋を識別してもよい。
【００７９】
すなわち、本発明は、異なる波長を有する２種類のインキで文字や図形等が印字されているような紙幣Ｍの場合、これら２種類の波長のインキをそれぞれ別個に検出し、これらの検出結果を比較した結果、高い相関で一致している場合に本物と判定するものであり、相関関係の演算手法等については上記の実施形態に限定されるものではなく、標準偏差を求めたり差の検定を行う等の統計的な手法を含めて各種の方法が含まれる。
【００８０】
図１３は、本発明に係る真贋検出構造の他の実施形態を示す断面図である。この実施形態のものは、ＥＬインキと通常の印刷インキとの間の光学的特性の差を利用して紙幣ＭにおけるＥＬインキで印刷されている領域を特定することができるものであり、センサ筐体４には、３枚（第１ガラス基板６１、第２ガラス基板６２および第３ガラス基板６３）が積層されてなるガラス基板６に代えて一体物のガラスプリズム６０が採用されている。
【００８１】
上記ガラスプリズム６０は、正面視で左右対称の台形状を呈し、ＬＥＤ５４の光軸に対して直交する右傾斜面６０ａと、この右傾斜面６０ａの図１３における左端縁部から延設された水平方向に延びる天面６０ｂと、この天面６０ｂの左端縁部から延設された上記右傾斜面６０ａと対象の左傾斜面６０ｃとを備えて形成されている。そして、ガラスプリズム６０は、その上下方向に延びる中心線とＬＥＤ５４の光軸との交点位置に紙幣Ｍに対する照射スポットＰが位置するように立体形状が設定されている。その他の紙葉類識別装置１の構成は先の実施形態のものと同様である。
【００８２】
かかるガラスプリズム６０を採用すれば、照射スポットＰを交流電磁界環境に設定しない状態で、ＬＥＤ５４からの照射光（ＬＥＤ光）は、右傾斜面６０ａにおいて屈折することなくガラスプリズム６０内に入光し、その多くは照射スポットＰにおいて紙幣Ｍの表面で左傾斜面６０ｃと直交する方向に向けて反射し、左傾斜面６０ｃを通ってガラスプリズム６０外に導出され、正反射光として第１受光素子５２によって受光されるとともに、照射スポットＰにおける紙幣Ｍ表面で乱反射した光の一部は拡散反射光として第２受光素子５３に受光されることになる。
【００８３】
そして、紙幣Ｍの紙面にＥＬインキが存在しない状態では、第１受光素子５２によって受光されるＬＥＤ５４から照射された光の採光スポットＰからの正反射光の受光量（矢印ａで表示）は、第２受光素子５３によって受光される同乱反射光の受光量（矢印ｂで表示）より大きくなる。
【００８４】
これに対し、紙幣Ｍの紙面にＥＬインキが存在し、かつ、採光スポットＰが交流電磁界環境になっているときには、第２受光素子が受光するＥＬインキからの発光の受光量（矢印ｃで表示）は、第１受光素子５２が受ける同発光の受光量（矢印ｄで表示）より大きくなる。従って、第１受光素子５２の受光量と第２受光素子５３の受光量との差や比を調べることによって、印刷隆起部Ｍ３が通常のインキのみで形成されているのか、ＥＬインキのみで形成されているのか、あるいは両者が併用されているのかを知ることができる。
【００８５】
そこで、例えばＬＥＤ５４に供給する電流を調節して紙幣Ｍよりの反射光の光強度を、ＥＬインキの発光の光強度と同程度になるように設定しておけば、ＥＬ発光がない場合には第１受光素子の出力が第２受光素子の出力より大きくなるのに対し、ＥＬ発光がある場合には、第２受光素子の出力が第１受光素子５２の出力より大きくなって上記と逆転し、これによってＥＬ発光が存在するか否かを知ることができる。
【００８６】
以上の実施形態においては、第１および第２受光素子５２，５３からの出力値を比較して両者間の相関関係に基づいて紙幣Ｍの真贋を識別するようにしているが、こうする代わりに、予め本物の紙幣Ｍの第１および第２受光素子５２，５３による経時的な受光パターンを記憶しておき、紙幣Ｍの真贋を識別するに際し、非識別紙幣を紙葉類識別装置１に供給する都度、第１および第２受光素子５２，５３が読み取った経時的な受光パターンと、予め記憶されている基準パターンとを比較し、所定の許容範囲で両者が同一とみなされる場合に被識別紙幣を本物と判定するようにしてもよい。
【００８７】
かかる識別方法を適用する場合には、制御装置８の中に、本物の紙幣の受光基準パターンを予め記憶しておく基準パターン記憶部と、第１および第２受光素子５２，５３からの出力値と、上記基準パターンとを比較する比較手段と、この比較手段による比較結果に基づいて紙葉類の真贋を判別する真贋判別手段とが設けられる。
【００８８】
また、上記の実施形態においては、第１受光素子５２および第２受光素子５３の双方が紙幣Ｍの同一位置（照射スポットＰ）からの光を受光するように構成されているが、こうする代わりに、図１４に示すように、第１受光素子５２の受光対象位置と、第２受光素子５３の受光対象位置とを空間的に前後に（紙幣Ｍの進行方向に）若干ずらせてもよい。但し、この場合は、空間的なずれを時間的に補償する操作を行う必要がある。このために、例えば第１受光素子５２が受光してから所定時間経過後の第２受光素子５３の受光とを対応させる等の操作を行えばよい。こうすることによって、狭隘な場所に第１および第２受光素子５２，５３を配置する不都合を回避した上で、第１および第２受光素子５２，５３が同一位置から受光したのと同一の効果を得ることができる。
【００８９】
【発明の効果】
請求項１記載の発明によれば、重ね塗り状態で印刷された紙葉類表面の発光インキと通常インキとは同一のパターンを有しており、かかる紙葉類は、同一位置に重ねて印刷された発光インキと通常インキとの双方を読み取って真贋が判別されるため、これらパターン間の相関関係を求めることで真贋を識別することができる。そして、単に発光インキの有無のみを検出して真贋を識別する従来の識別方式に比較し、識別精度をより高精度にすることができる。
【００９０】
請求項２記載の発明によれば、交番電圧が印加されることにより形成される交流電磁界環境で発光するエレクトロルミネセンスを発光インキとして採用したため、エレクトロルミネセンスは通常の環境では発光せずに無色であり、従って、真贋識別時には有効にその機能を果し得るようにした上で普段は支障なく紙葉類を使用することができる。
【図面の簡単な説明】
【図１】本発明に係る紙葉類識別装置の一実施形態を示す斜視図であり、ケーシング蓋体が閉じられた状態を示している。
【図２】図１の紙葉類識別装置の斜視図であり、ケーシング蓋体が開かれた状態を示している。
【図３】ケーシングに内装された装置本体の一実施形態を示す分解斜視図である。
【図４】図３の装置本体の組立て斜視図である。
【図５】図４のＡ−Ａ線断面図である。
【図６】図４のＢ−Ｂ線断面図である。
【図７】紙幣の印刷状態の一例を示す斜視図である。
【図８】図７のＣ−Ｃ線拡大断面図であり、（イ）は、ＥＬインキの上に通常の非発光性のインキが積層印字された状態、（ロ）は、通常の非発光性のインキにＥＬインキを混合して得られた混合インキで印字された状態をそれぞれ示している。
【図９】受光素子による走査で第１受光素子および第２受光素子が検出した受光量に比例する出力値の経時変化を示すグラフである。
【図１０】制御装置による紙幣の真贋識別制御の一実施形態を示すブロック図である。
【図１１】受光素子によって読み取った光強度のデータを蓄積するデータサンプリングルーチンのフローを示すフローチャートである。
【図１２】読み取ったデータから真贋を判定するための相関演算ルーチンのフローを示すフローチャートである。
【図１３】本発明に係る真贋検出構造の他の実施形態を示す断面図である。
【図１４】第１受光素子および第２受光素子の設置位置の他の例を示す説明図である。
【符号の説明】
１  紙葉類識別装置        ２  装置本体
２０  センサー装置      ３  ローラ部
３０  交流電源          ３１  中心軸
３２  金属円盤          ３３  絶縁リング
３４  金属リング        ３５  リード板
３５ａ  リード板本体    ３５ｂ  折曲げ片
３６  フォトレシーバー  ４  センサ筐体
４１  筐体本体          ４２  漏斗状部
４３  基板装着凹部      ４４  電極部材装着凹部
４５  光路孔            ４６  ＬＥＤ装着孔
４７  リード板装着凹部  ５  基板
５１受光素子            ５２  第１受光素子
５２ａ  バンドパスフィルター
５２１  第１増幅器      ５２２  第１Ａ／Ｄ変換器
５４  ＬＥＤ            ５４ａ  ＬＥＤ制御回路
６  ガラス基板          ６０  ガラスプリズム
６０ａ  右傾斜面        ６０ｂ  天面
６１  第１ガラス基板    ６１ａ  傾斜面
６２  第２ガラス基板    ６３  第３ガラス基板
６４  第１誘電体多層膜  ６５  第２誘電体多層膜
６６  ＩＴＯ膜          ６７  透明絶縁膜
７１  第１検出構造      ７２  第２検出構造
８  制御装置            ８０  ＣＰＵ
８０ａ  相関関係演算手段
８０ｂ  真贋判別手段
８１  ＲＡＭ            ８２  ＲＯＭ
８３  タイミングパルス発生回路
８４  駆動制御回路      ９  ケーシング
９１  ケーシング本体    ９１ａ  ローラ嵌挿窓
９２ｂ  矩形窓          ９２ｃ  傾斜縁部
９３  ブラケット        ９４  水平軸
９５  紙幣搬送路        ９５ｂ  長尺溝
９５ｃ  搬送ローラ      ９５ｄ  補助ローラ
９６  電源スイッチ      ９８  表示灯
９８ａ  レディランプ    ９８ｂ  合格ランプ
Ｍ  紙幣                Ｍ１  用紙
Ｍ２  コーティング層    Ｍ３  印刷隆起部
Ｍ３１  ＥＬインキ部    Ｍ３１′  ＥＬ微粒子
Ｍ３２  通常インキ部Ｍ  Ｍ３２′  インキ生地
Ｐ  照射スポット
【図１】
0004486739.tif 000002
【図２】
0004486739.tif 000003
【図３】
0004486739.tif 000004
【図４】
0004486739.tif 000005
【図５】
0004486739.tif 000006
【図６】
0004486739.tif 000007
【図７】
0004486739.tif 000008
【図８】
0004486739.tif 000009
【図９】
0004486739.tif 000010
【図１０】
0004486739.tif 000011
【図１１】
0004486739.tif 000012
【図１２】
0004486739.tif 000013
【図１３】
0004486739.tif 000014
【図１４】
0004486739.tif 000015